(57)【要約】【課題】印刷機の稼働状況を正確に判別できる印刷システムを提供すること。【解決手段】ホストコンピュータ３１は、複数の印刷ライン１１をコントロールする。ホストコンピュータ３１は、印刷機における印刷作業の目標タイムスパンを設定するための設定手段と、印刷作業の実行にともない、実行された印刷ジョブの種類及び時間を判別する判別手段と、目標タイムスパン及び実行された印刷ジョブを表示形態を異ならせて表示する表示手段とを構成する。そして、前記表示手段は、目標タイムスパンを表すグラフと、ジョブを示すグラフとを並設表示する。【選択図】図４
2017149054.tif 000002
【特許請求の範囲】
【請求項１】
コンピュータを有し、そのコンピュータが、
印刷機における印刷作業の目標タイムスパンを設定するための設定手段と、
印刷作業の実行にともない、実行された印刷ジョブの種類及び時間を判別する判別手段と、
目標タイムスパン及び実行された印刷ジョブを表示形態を異ならせて表示する表示手段と
を備えた印刷システム。
【請求項２】
前記表示手段は、目標タイムスパンを表すグラフと、ジョブを示すグラフとを並設表示する請求項１に記載の印刷システム。
【請求項３】
前記表示手段は、複数の印刷ジョブを時間経過に従ってシリアルに表示する請求項１または２に記載の印刷システム。
【発明の詳細な説明】
【技術分野】
【０００１】
本発明は、スクリーン印刷機等の印刷機に適用される印刷システムに関するものである。
【背景技術】
【０００２】
特許文献１には、ディスプレイに稼働状況を表示できるようにした印刷機が開示されている。
この特許文献１のスクリーン印刷機においては、印刷機の運転，準備，停止などの稼働状況がグラフ化されてディスプレイに表示されるようになっている。
【先行技術文献】
【特許文献】
【０００３】
【特許文献１】特開平７−３２３５２３号公報
【発明の概要】
【発明が解決しようとする課題】
【０００４】
特許文献１の印刷機においては、運転状況をディスプレイによって確認できるが、この印刷機においては、運転，準備などの印刷ジョブごとに別れて表示されるだけであって、印刷機あるいは印刷機を備えた印刷ラインの状況を適切に把握したり、評価したりすることが困難であった。
【０００５】
この発明は、このような従来の技術に存在する問題点に着目してなされたものである。その目的は、印刷機の稼働状況を正確に判別できるようにした印刷システムを提供することにある。
【課題を解決するための手段】
【０００６】
上記の目的を達成するために、本発明においては、コンピュータを有し、そのコンピュータが、印刷機における印刷作業の目標タイムスパンを設定するための設定手段と、印刷作業の実行にともない、実行された印刷ジョブの種類及び時間を判別する判別手段と、目標タイムスパン及び実行された印刷ジョブを表示形態を異ならせて表示する表示手段とを備えたことを特徴とする。
【０００７】
以上の構成においては、目標のタイムスパンを表すタイムスパン表示と、実行された印刷ジョブを表す印刷ジョブ表示とが表示されるため、目標タイムスパンに対する稼働状況を一目で理解できる。このため、作業効率や不具合状況を適切に判別できる。また、目標タイムスパン及び印刷ジョブ表示の表示形態が異なるため、印刷ジョブの状態及び目標タイムスパンと印刷ジョブとの関係を容易に比較でき、稼働状況を適切に判別できるとともに、電源ダウンなどの緊急事態に有効に対処できる。
【発明の効果】
【０００８】
本発明においては、印刷機の稼働状況を正確に判別できるという効果を得ることができる。
【図面の簡単な説明】
【０００９】
【図１】印刷システムを示す簡略図。
【図２】スクリーン印刷機の斜視図。
【図３】スクリーン印刷機の印刷機構を示す簡略図。
【図４】印刷システムの電気的構成を示す模式図。
【図５】印刷機の電気的構成を示すブロック図。
【図６】ホストコンピュータの電気的構成を示すブロック図。
【図７】ディスプレイの表示画面を示す図。
【図８】印刷システムの動作を示すフローチャート。
【図９】印刷画像の分析動作を示すフローチャート。
【発明を実施するための形態】
【００１０】
以下、本発明を具体化した実施形態を図面に基づいて説明する。
図１，図２及び図４に示すように、本実施形態の印刷システムは、複数の印刷ライン１１を備え、各印刷ライン１１には、複数台（実施形態では２台）の印刷機１２と、各印刷機１２の間に配置された複数台（実施形態では３台）の乾燥機１３，１４とを備えている。２台の乾燥機１３は熱風乾燥機であり、他の１台の乾燥機は紫外線乾燥機である。そして、供給ロール１５上の印刷シート１７が繰り出されて、各印刷機１２において印刷されるとともに、印刷されたインキが各乾燥機１３，１４において、熱風により加熱乾燥または紫外線により化学乾燥（硬化）される。
【００１１】
すなわち、印刷シート１７上に、上流側の印刷機１２により、一次印刷パターンとチェックマークとが印刷され、下流側の印刷機１２により、一次印刷パターン上に二次印刷パターンが印刷される。前記チェックマークは、一次，二次両印刷パターンの印刷領域を避けて、印刷シートの幅端部に印刷される。
【００１２】
図２に示すように、各印刷機１２は、そのフレーム２１にピラー２２を備え、このピラー２２の前面に、ディスプレイ２３と、操作盤２４とが上下に配置されている。
図３に示すように、印刷機１２の内部には、印刷シート１７の直上においてスクリーン２５を張設したスクリーン枠２８が設けられるとともに、スキージ２６及びドクター２７が昇降可能に設けられている。そして、これらのスクリーン２５を有するスクリーン枠２８，スキージ２６及びドクター２７を用いて、印刷シート１７上にスクリーン印刷が行われる。
【００１３】
図４に示すように、本実施形態の印刷システムは、設定手段，判別手段及び表示手段を構成するホストコンピュータ３１を備え、前記各印刷ライン１１が無線ＬＡＮ（ローカルエリアネットワーク）３２を介してホストコンピュータ３１に接続される。ホストコンピュータ３１には無線ＬＡＮ３３を介して携帯コンピュータ（以下、タブレットという）３６が接続される。そして、ホストコンピュータ３１と、印刷ライン１１及びタブレット３６との間において、無線ＬＡＮ３２，３３を介してデータが送受信される。
【００１４】
図１及び図５に示すように、各印刷機１２には、カメラ１８が設置され、これらのカメラ１８は、各印刷機１２の制御部４０に接続されている。カメラ１８は、１台の印刷機１２に複数台設置され、カメラ１８により、印刷シート１７上に印刷された印刷パターンやチェックマークなどが撮影される。各印刷機１２には、各種のセンサ（図５においてはセンサ４１１〜４１３を図示）よりなる検出装置４１が装備され、これらのセンサよりなる検出装置４１は、印刷機１２の運転状態、停止状態，印刷速度，印刷枚数などの各種の情報を収集してホストコンピュータ３１に対して出力する。各印刷機１２は、無線ＬＡＮ３２のための送信部４２及び受信部４３を備えている。
【００１５】
図６に示すように、ホストコンピュータ３１の制御部３７には、キーボード３５とディスプレイ３４とが接続されている。また、この制御部３７には、無線ＬＡＮ３２，３３のための送信部４６及び受信部４７が接続されている。そして、ホストコンピュータ３１の制御部３７の記憶部３８には、後述の図７及び図８のフローチャートを実行するためのプログラムのデータが記憶されている。
【００１６】
以上のように構成された印刷システムの作用を説明する。図８及び図９に示すフローチャートは、ホストコンピュータ３１の制御部３７の中央処理装置３９の制御のもとに進行される。
【００１７】
図８のフローチャートに示すように、ホストコンピュータ３１において、作業者または管理者（以下、操作者という）の操作するキーボード３５により、印刷ライン１１ごとに、目標とする印刷作業のタイムスパンが入力されて、記憶部に設定される（Ｓ１）。入力されたタイムスパンのデータは、図７に示すように、ディスプレイ３４の印刷ライン１１ごとのグラフＬ１〜Ｌ３上の表示エリア３６１の上部側において帯状に着色（例えば、薄い青）されたタイムスパン表示３６２として表わされる。この表示エリア３６１の横軸は時間を表している。従って、作業者は、このタイムスパン表示３６２により、例えば、各印刷ライン１１において、所定枚数の印刷に要する作業の目標時間を確認することができる。
【００１８】
次いで、印刷運転が開始され（Ｓ２）、つまり、印刷シート１７に対する印刷が開始される。印刷実行中においては、前記検出装置４１からのデータが収集され、ホストコンピュータにより分析される（Ｓ３）。そして、その分析結果が、図７に示すように、ディスプレイ３４に上においてグラフ表示される（Ｓ４）。
【００１９】
すなわち、印刷ライン１１ごとの表示エリア３６１において、タイムスパン表示３６２の下側には、そのタイムスパン表示３６２と対応して上下に並設されるように、印刷ジョブ表示３６３が時間の経過に従ってシリアルな時系列で着色して表わされる。この印刷ジョブ表示３６３は、印刷ジョブごとに表示形態としての着色が異なり、例えば、印刷動作３６４は緑、セットアップ３６５は黄，クリーニング動作３６６は紺、停止３６７は赤，電源ダウン３６８がグレーで色分け表示される。従って、作業者あるいは管理者は、実行された印刷ジョブとタイムスパン表示３６２とを比較できて、印刷ライン１１の稼働状況を適切に把握できる。
【００２０】
以上の動作が継続され、印刷動作の終了（Ｓ５）にともない、集計が実行される（Ｓ６）。例えば、前記印刷動作，セットアップ，クリーニング動作，停止，電源ダウンなどの回数や、各印刷ジョブのトータル時間、あるいは印刷速度，印刷枚数などが集計されて、記憶部３８に記憶される。従って、この段階で印刷スパンごとの稼働実績を演算して記憶させることができる。そして、その演算結果を加工して、その加工データが所定のフォーマットで記録され（Ｓ７）、例えば、グラフ化されて、ディスプレイ表示または印刷出力される。
【００２１】
また、所定期間の稼働実績を集計したり、スクリーニングしたりすることにより、各月の月報や各週の週報として表示することができる。
さらに、図９に示すように、印刷機１２の運転中（Ｓ１１）には、印刷されたパターンと、チェックマークとが撮影されて、そのデータがホストコンピュータ３１に入力される（Ｓ１２）。そして、あらかじめ記憶された原画を表す印刷パターンなどのデータと撮影されたデータとが比較され、印刷パターンの状態や、チェックマークと二次印刷パターンとの位置関係が判別される（Ｓ１３）。つまり、チェックマークと二次印刷パターンとの位置関係がずれている場合には、一次印刷パターンと二次印刷パターンとの位置関係がずれていることを意味する。このため、位置関係のずれの原因や、ずれ量などが分析され（Ｓ１４）、その分析結果が集計される（Ｓ１５）。そして、その集計結果が記憶部３８に記憶されたり、グラフ化されて、表示されたりする（Ｓ１６）。ここで、ずれ量の多寡に応じて印刷の良・不良を判別でき、歩留まりも認識できる。そして、これらのデータを蓄積することにより、印刷機の状態を認識できる。
【００２２】
印刷作業中には、ホストコンピュータ３１のディスプレイ３４に表示された内容と同じ内容がタブレット３６に表示される。従って、操作者は、タブレット３６を持つことにより、印刷機１２の近くなど、作業や確認しやすい位置において稼働状況を確認でき、作業の効率化に有用である。
【００２３】
そして、本実施形態においては、以下の効果がある。
（１）目標のタイムスパンを表すタイムスパン表示３６２と、実行された印刷ジョブを表す印刷ジョブ表示３６３とが並設状態で表示されるため、目標タイムスパンに対する稼働状況を一目で理解できる。このため、作業効率や不具合状況を適切に判別できる。
【００２４】
（２）印刷ジョブを表す印刷ジョブ表示３６３が横方向にシリアルに連続して表示されるため、実際に実行された印刷スパンの長さや、一印刷スパン内における印刷ジョブの順序、各印刷ジョブの長さ（時間）などを明確に判別して、印刷機や印刷システムの稼働状況及び評価を容易かつ的確に認識できる。
【００２５】
（３）各種の印刷ジョブなどが印刷ジョブ表示３６３内において色分け表示されるため、印刷ジョブの状態を一目でただちに理解でき、電源ダウンなどの緊急事態に有効に対処できる。
【００２６】
（４）複数の印刷ライン１１がひとつのホストコンピュータ３１により集中管理されるため、少ない人数の操作者により、複数の印刷ライン１１を取り扱うことができる。
本発明は、前記実施形態に限定されるものではなく、以下のような態様で具体化してもよい。
【００２７】
・前記実施形態では、タイムスパン表示３６２を印刷ジョブ表示３６３の上部に配置したが、この上下関係を逆にすること。
・１印刷ラインの印刷機１２の数を１台または３台以上にすること。
【００２８】
・前記実施形態においては、印刷機１２ごとにデータを収集するようにしたが、乾燥機１３，１４におけるデータ、例えば乾燥室の温度などのデータを収集するように構成すること。
【００２９】
・前記実施形態では、ディスプレイ３４における表示形態として、タイムスパン表示３６２や印刷ジョブ表示３６３を異なる色に着色表示するようにしたが、着色表示に代えて、例えば、斜線，網掛けなど、タイムスパン表示３６２や印刷ジョブ表示３６３ごとに異なる模様表示とすること。
【００３０】
・前記実施形態では、印刷ライン１１の印刷機１２として、スクリーン印刷機を用いたが、別のタイプの印刷機、例えばオフセット印刷機を用いること。
・カメラ１８を印刷機１２以外のところ、例えば、乾燥機１３，１４や供給ロール１５，巻取りロール１６の位置などに設けること。
【００３１】
・チェックマークを印刷パターンの印刷ごとに印刷して、それらのチェックパターン間の位置関係を撮影して、印刷パターンのずれを判別するようにすること。
・図７の表示を印刷機１２のディスプレイ２３において表示させること。
【００３２】
前記実施形態から把握される技術的思想は以下の通りである。
（Ａ）前記コンピュータは、印刷機を備えた複数の印刷ラインを集中管理するホストコンピュータよりなる請求項１または２に記載の印刷システム。
【００３３】
（Ｂ）前記印刷ラインは、複数の印刷機を備えた前記技術的思想（Ａ）項に記載の印刷システム。
（Ｃ）ピラーにディスプレイと操作部とを上下に並設配置するとともに、ディスプレイを上部側にした印刷機。
【００３４】
このように構成すれば、操作者がディスプレイを見ながら操作部を操作することができ、印刷機に対する操作を容易かつ適切に行なうことが可能になる。
【符号の説明】
【００３５】
１１…印刷ライン、１２…印刷機、３１…ホストコンピュータ、Ｌ１…グラフ、Ｌ２…グラフ、Ｌ３…グラフ。
【図１】
2017149054.tif 000003
【図２】
2017149054.tif 000004
【図３】
2017149054.tif 000005
【図４】
2017149054.tif 000006
【図５】
2017149054.tif 000007
【図６】
2017149054.tif 000008
【図７】
2017149054.tif 000009
【図８】
2017149054.tif 000010
【図９】
2017149054.tif 000011